(57)【要約】【課題】電線と端子との接続信頼性を保持することができるコネクタを提供する。【解決手段】ハウジング３と、端子収容室５と、電線挿通孔７と、電線挿通孔７と端子収容室５とに挿通される電線９と、電線９の端子収容室５から露出する端末部に接続される端子１１と、電線９に接続される電線接続部１３と、電線９を電線挿通孔７から離脱する方向に移動させることにより端子収容室５に収容される箱状の端子接続部１５とを備えたコネクタ１において、端子収容室５が、端子接続部１５の幅方向にそれぞれ対向して配置される一対の縦壁１７，１７と、端子接続部１５の高さ方向にそれぞれ対向して配置される一対の横壁１９，１９とを有し、一対の縦壁１７，１７と一対の横壁１９，１９との端子収容室５の開口側のそれぞれの端面２１，２３の位置を異なって配置した。【選択図】図４
2018174090.tif 000002
【特許請求の範囲】
【請求項１】
ハウジングと、このハウジングの一端側に開口して設けられた端子収容室と、前記ハウジングの他端側に開口して設けられ前記ハウジングの内部で前記端子収容室に連通された電線挿通孔と、この電線挿通孔と前記端子収容室とに挿通される電線と、この電線の前記端子収容室から露出する端末部に接続される端子と、この端子に設けられ前記電線に接続される電線接続部と、この電線接続部と一体に設けられ前記電線を前記電線挿通孔から離脱する方向に移動させることにより前記端子収容室に収容される箱状の端子接続部とを備えたコネクタであって、
前記端子収容室は、前記端子接続部の幅方向にそれぞれ対向して配置される一対の縦壁と、前記端子接続部の高さ方向にそれぞれ対向して配置される一対の横壁とを有し、
前記一対の縦壁と前記一対の横壁とは、前記端子収容室の開口側のそれぞれの端面の位置が異なって配置されていることを特徴とするコネクタ。
【請求項２】
請求項１記載のコネクタであって、
前記一対の縦壁と前記一対の横壁との前記端子収容室の開口側のそれぞれの端面には、前記端子収容室の内部に向けて傾斜するテーパが設けられていることを特徴とするコネクタ。
【発明の詳細な説明】
【技術分野】
【０００１】
本発明は、コネクタに関する。詳細には、電線をハウジングの外部に移動させることにより電線の端末部に接続された端子をハウジングの端子収容室に収容させるコネクタに関する。
【背景技術】
【０００２】
従来、コネクタとしては、ハウジングと、このハウジングの一端側に開口して設けられた端子収容室と、ハウジングの他端側に開口して設けられハウジングの内部で端子収容室に連通された電線挿通孔と、この電線挿通孔と端子収容室とに挿通される電線と、この電線の端子収容室から露出する端末部に接続される端子と、この端子に設けられ電線に接続される電線接続部と、この電線接続部と一体に設けられ電線を電線挿通孔から離脱する方向に移動させることにより端子収容室に収容される箱状の端子接続部とを備えたものが知られている（例えば、特許文献１参照）。
【０００３】
このコネクタでは、端子収容室の内部に端子接続部と係合する段部が設けられ、段部と端子接続部とを係合させ、端子収容室の開口側にフロントホルダを組付けることにより、係止ランスなどを用いることなく、端子をハウジングに保持することができる。
【先行技術文献】
【特許文献】
【０００４】
【特許文献１】特開２０１２−６９２５８号公報
【発明の概要】
【発明が解決しようとする課題】
【０００５】
ところで、上記特許文献１のようなコネクタでは、端子収容室が、端子接続部の幅方向にそれぞれ対向して配置される一対の縦壁と、端子接続部の高さ方向にそれぞれ対向して配置される一対の横壁とを有している。
【０００６】
この一対の縦壁と一対の横壁とは、端子収容室の開口側のそれぞれの端面が、同一位置に配置されている。
【０００７】
このため、電線を電線挿通孔から離脱する方向に移動させ、端子接続部を端子収容室に収容するときに、端子接続部に振れなどが発生した場合、端子接続部が、縦壁と横壁との端子収容室の開口側のそれぞれの端面に同時に当接する恐れがあった。
【０００８】
このように端子接続部が縦壁と横壁との端面に同時に当接してしまうと、端子接続部が幅方向や高さ方向に移動することができず、端子接続部が縦壁と横壁との端面に引っ掛かった状態となってしまう。
【０００９】
この状態から電線の離脱方向の移動を過剰に継続すると、電線接続部で電線との相対的位置ズレや分離、或いは電線に切れなどを生じる恐れがあり、電線と端子との接続信頼性が低下する可能性があった。
【００１０】
そこで、この発明は、電線と端子との接続信頼性を保持することができるコネクタの提供を目的としている。
【課題を解決するための手段】
【００１１】
請求項１記載の発明は、ハウジングと、このハウジングの一端側に開口して設けられた端子収容室と、前記ハウジングの他端側に開口して設けられ前記ハウジングの内部で前記端子収容室に連通された電線挿通孔と、この電線挿通孔と前記端子収容室とに挿通される電線と、この電線の前記端子収容室から露出する端末部に接続される端子と、この端子に設けられ前記電線に接続される電線接続部と、この電線接続部と一体に設けられ前記電線を前記電線挿通孔から離脱する方向に移動させることにより前記端子収容室に収容される箱状の端子接続部とを備えたコネクタであって、前記端子収容室は、前記端子接続部の幅方向にそれぞれ対向して配置される一対の縦壁と、前記端子接続部の高さ方向にそれぞれ対向して配置される一対の横壁とを有し、前記一対の縦壁と前記一対の横壁とは、前記端子収容室の開口側のそれぞれの端面の位置が異なって配置されていることを特徴とする。
【００１２】
このコネクタでは、一対の縦壁と一対の横壁とが、端子収容室の開口側のそれぞれの端面の位置が異なって配置されているので、電線を離脱方向に移動させ、端子接続部を端子収容室に収容するときに、端子接続部に振れなどが発生した場合、端子接続部が縦壁と横壁とのうちいずれか一方の端面に当接する。
【００１３】
この端子接続部が縦壁と横壁とのうちいずれか一方の端面に当接した状態では、端子接続部が幅方向と高さ方向とのうちいずれか一方に移動することができ、電線を離脱方向に移動させることにより、端子接続部と縦壁と横壁とのうち一方の端面との当接を解除することができる。
【００１４】
このため、端子接続部を端子収容室に収容するときに、端子接続部の端子収容室の開口側における引っ掛かりを防止でき、電線の過剰な移動による電線接続部における電線との相対的位置ズレや分離、或いは電線の切れなどを防止することができる。
【００１５】
従って、このようなコネクタでは、端子接続部を端子収容室に収容するときに、電線接続部に電線の過剰な移動力が付与されることがないので、電線と端子との接続信頼性を保持することができる。
【００１６】
請求項２記載の発明は、請求項１記載のコネクタであって、前記一対の縦壁と前記一対の横壁との前記端子収容室の開口側のそれぞれの端面には、前記端子収容室の内部に向けて傾斜するテーパが設けられていることを特徴とする。
【００１７】
このコネクタでは、一対の縦壁と一対の横壁との端子収容室の開口側のそれぞれの端面に、端子収容室の内部に向けて傾斜するテーパが設けられているので、テーパによって端子接続部を端子収容室に安定して案内することができる。
【発明の効果】
【００１８】
本発明によれば、電線と端子との接続信頼性を保持することができるコネクタを提供することができるという効果を奏する。
【図面の簡単な説明】
【００１９】
【図１】本発明の実施の形態に係るコネクタと相手ハウジングとを嵌合するときの斜視図である。
【図２】本発明の実施の形態に係るコネクタの端子を電線に接続したときの斜視図である。
【図３】本発明の実施の形態に係るコネクタの端子を端子収容室に収容するときの斜視図である。
【図４】図３の断面図である。
【図５】本発明の実施の形態に係るコネクタの端子を端子収容室に収容するときの斜視図である。
【図６】図５の断面図である。
【図７】本発明の実施の形態に係るコネクタの端子を端子収容室に収容したときの斜視図である。
【図８】図７の断面図である。
【図９】本発明の実施の形態に係るコネクタのハウジングにフロントホルダを組付けたときの斜視図である。
【図１０】図９の断面図である。
【発明を実施するための形態】
【００２０】
図１〜図１０を用いて本発明の実施の形態に係るコネクタについて説明する。
【００２１】
本実施の形態に係るコネクタ１は、ハウジング３と、このハウジング３の一端側に開口して設けられた端子収容室５と、ハウジング３の他端側に開口して設けられハウジング３の内部で端子収容室５に連通された電線挿通孔７と、この電線挿通孔７と端子収容室５とに挿通される電線９と、この電線９の端子収容室５から露出する端末部に接続される端子１１と、この端子１１に設けられ電線９に接続される電線接続部１３と、この電線接続部１３と一体に設けられ電線９を電線挿通孔７から離脱する方向に移動させることにより端子収容室５に収容される箱状の端子接続部１５とを備えている。
【００２２】
また、端子収容室５は、端子接続部１５の幅方向にそれぞれ対向して配置される一対の縦壁１７，１７と、端子接続部１５の高さ方向にそれぞれ対向して配置される一対の横壁１９，１９とを有する。
【００２３】
そして、一対の縦壁１７，１７と一対の横壁１９，１９とは、端子収容室５の開口側のそれぞれの端面２１，２３の位置が異なって配置されている。
【００２４】
また、一対の縦壁１７，１７と一対の横壁１９，１９との端子収容室５の開口側のそれぞれの端面２１，２３には、端子収容室５の内部に向けて傾斜するテーパ２５，２７が設けられている。
【００２５】
図１〜図１０に示すように、ハウジング３は、合成樹脂などの絶縁性材料からなり、長さ方向の一端側が相手ハウジング２９のフード部３１内に嵌合可能となっている。
【００２６】
このハウジング３の上方には、相手ハウジング２９との嵌合面側を基端とし、ハウジング３の長さ方向に揺動可能に延設されたロックアーム３３が設けられている。
【００２７】
このロックアーム３３には、ハウジング３が相手ハウジング２９のフード部３１内に嵌合されたときに、相手ハウジング２９のフード部３１内に設けられた係合突部（不図示）に係合されるロック部３５が設けられている。
【００２８】
このロック部３５と係合突部とを係合させることにより、ハウジング３と相手ハウジング２９との嵌合状態が保持される。
【００２９】
なお、ロックアーム３３の自由端側には、操作部３７が設けられており、操作部３７を下方に向けて押圧することによって、ロックアーム３３が下方に向けて撓まされ、ロック部３５と係合突部との係合が解除され、ハウジング３と相手ハウジング２９との嵌合を解除することができる。
【００３０】
このようなハウジング３の内部には、複数の端子収容室５が設けられ、相手ハウジング２９と嵌合することにより、相手ハウジング２９に収容された複数の相手端子（不図示）と複数の端子収容室５に収容された複数の端子１１とが電気的に接続される。
【００３１】
端子収容室５は、ハウジング３の内部にハウジング３の長さ方向に沿って延設され、ハウジング３の長さ方向一端側で開口されている。
【００３２】
この端子収容室５は、ハウジング３の幅方向に複数列（ここでは５列）設けられていると共に、ハウジング３の高さ方向に複数段（ここでは２段）設けられている。
【００３３】
このような複数の端子収容室５は、それぞれ一対の縦壁１７，１７と、一対の横壁１９，１９とを有している。
【００３４】
一対の縦壁１７，１７は、端子収容室５の幅方向の左右側壁をそれぞれ構成し、端子１１の端子接続部１５の幅方向両側にそれぞれ対向して配置される。
【００３５】
この一対の縦壁１７，１７は、端子接続部１５の幅方向への移動を規制し、端子接続部１５を端子収容室５に保持させると共に、幅方向に隣り合う端子収容室５，５を区画する。
【００３６】
一対の横壁１９，１９は、一対の縦壁１７，１７と連続する一部材で形成され、端子収容室５の高さ方向の上下側壁をそれぞれ構成し、端子１１の端子接続部１５の高さ方向両側にそれぞれ対向して配置される。
【００３７】
この一対の横壁１９，１９は、端子接続部１５の高さ方向への移動を規制し、端子接続部１５を端子収容室５に保持させると共に、高さ方向に隣り合う端子収容室５，５を区画する。
【００３８】
このような端子収容室５の奥部には、端子接続部１５の長さ方向の端面に設けられた係合面３９と係合可能に段差状に形成された係合部４１が設けられている。
【００３９】
この係合部４１は、端子接続部１５の長さ方向の係合面３９と係合することにより、端子接続部１５が電線挿通孔７側に移動することを規制する。
【００４０】
電線挿通孔７は、ハウジング３の内部にハウジング３の長さ方向に沿って延設され、ハウジング３の長さ方向他端側で開口され、ハウジング３の内部で端子収容室５と連通されている。
【００４１】
この電線挿通孔７は、端子収容室５と同様に、ハウジング３の幅方向に複数列（ここでは５列）設けられていると共に、ハウジング３の高さ方向に複数段（ここでは２段）設けられている。
【００４２】
このような電線挿通孔７には、ハウジング３の長さ方向他端側の開口から電線９が挿入される。
【００４３】
電線９は、芯線部の外周に絶縁被覆が形成された被覆電線からなり、一端が電源や機器などに電気的に接続されている。
【００４４】
この電線９は、他端が電線挿通孔７のハウジング３の長さ方向他端側の開口から挿入され、端子収容室５を挿通し、端子収容室５のハウジング３の長さ方向一端側の開口からハウジング３の外部に露出される。
【００４５】
このように端子収容室５の開口からハウジング３の外部に露出された電線９の端末部には、端子１１が接続される。
【００４６】
端子１１は、導電性材料からなる１枚の板材に対して、打ち抜き加工や折り曲げ加工などを施すことによって、電線接続部１３と、端子接続部１５とが連続する一部材で形成されている。
【００４７】
電線接続部１３は、被覆圧着部４３と、芯線圧着部４５とを備えている。
【００４８】
被覆圧着部４３は、一対の加締め片からなり、ハウジング３の外部に露出された電線９の端末部において、電線９の被覆部を加締める。
【００４９】
この被覆圧着部４３を電線９の被覆部に加締めることにより、ハウジング３の外部で端子１１が電線９に固定される。
【００５０】
芯線圧着部４５は、端子接続部１５と被覆圧着部４３との間に設けられた一対の圧着片からなり、ハウジング３の外部に露出された電線９の端末部において、電線９の被覆部から露出された芯線部を加締めて圧着される。
【００５１】
この芯線圧着部４５を電線９の芯線部に圧着させることにより、ハウジング３の外部で端子１１が電線９に電気的に接続される。
【００５２】
端子接続部１５は、底壁が電線接続部１３と連続する一部材で形成され、両側壁と上壁とを折り曲げ加工によって箱状に形成された雌型の接続部からなる。
【００５３】
この端子接続部１５には、内部に端子接続部１５と連続する一部材で所定の付勢力を有するように弾性変形可能に接点部４７を有する弾性片４９が設けられている。
【００５４】
このような端子接続部１５には、長さ方向の一端側に開口が設けられ、この開口から内部に相手端子の雄型であるタブ状の接続部（不図示）が挿入され、弾性片４９の付勢力によって接点部４７がタブ状の接続部と接触することにより、端子１１と相手端子とが電気的に接続される。
【００５５】
この箱状の端子接続部１５の電線接続部１３側の端面は、端子１１が端子収容室５に収容された状態で、端子収容室５の係合部４１と係合する係合面３９となっている。
【００５６】
この係合面３９と係合部４１との係合により、端子１１の電線挿通孔７側への移動が規制され、端子接続部１５が端子収容室５の所定の位置で保持される。
【００５７】
加えて、端子接続部１５の先端側には、補助係合突起５１が突設されており、この補助係合突起５１は、端子１１が端子収容室５に収容された状態で、端子収容室５の一対の横壁１９，１９のうち上方に位置する横壁１９の先端側に段差状に形成された補助係合部５３に係合される。
【００５８】
この補助係合突起５１と補助係合部５３との係合により、端子１１の電線挿通孔７側への移動が２重に規制され、安定して端子接続部１５を端子収容室５に保持することができる。
【００５９】
このような端子接続部１５は、ハウジング３の外部に露出された電線９の端末部に電線接続部１３を介して端子１１が接続された状態で、電線９を電線挿通孔７から離脱する方向に引っ張って移動させることにより、端子収容室５の開口から端子収容室５の内部に収容される。
【００６０】
この端子収容室５の内部に収容された端子１１は、ハウジング３の端子収容室５の開口側に組付けられるフロントホルダ５５によって端子収容室５の開口からの抜け止めがなされる。
【００６１】
フロントホルダ５５は、ハウジング３の端子収容室５の開口を閉塞可能なように長方形状に形成され、ヒンジ５６を介してハウジング３に開閉可能に設けられている。
【００６２】
このフロントホルダ５５には、ハウジング３の両側面に突設された係止突起５７，５７に係合可能な係止凹部５９，５９が設けられている。
【００６３】
この係止突起５７，５７と係止凹部５９，５９とを係合させることにより、フロントホルダ５５が端子収容室５の開口を閉塞するようにハウジング３に組付けられ、端子収容室５に収容された端子１１の端子接続部１５の先端側に位置し、端子１１の端子収容室５の開口からの抜け止めがなされる。
【００６４】
このようなフロントホルダ５５には、フロントホルダ５５を厚さ方向に貫通し、複数の端子収容室５と同一位置に配置された複数の開口６１が設けられている。
【００６５】
この複数の開口６１には、ハウジング３と相手ハウジング２９とが嵌合したときに、相手端子のタブ状の接続部が挿入され、端子１１と相手端子とが電気的に接続される。
【００６６】
このようにフロントホルダ５５と、端子収容室５の係合部４１と端子接続部１５の係合面３９との係合とによって、端子１１を端子収容室５に保持することにより、端子収容室５に係止ランスを設けたり、端子収容室５内に端子１１を保持するスペーサなどを挿入する必要がない。
【００６７】
このため、端子収容室５に対する端子１１の挿入や離脱を容易に行えると共に、ハウジング３の形状を簡易化することができ、低コスト化することができる。
【００６８】
このように電線９を離脱方向に引っ張って端子接続部１５を端子収容室５に収容させる構造において、従来では、端子収容室５の開口側の先端、すなわち一対の縦壁１７，１７と一対の横壁１９，１９との端面２１，２３がハウジング３の長さ方向の同一位置に配置されていた。
【００６９】
このように縦壁１７の端面２１と横壁１９の端面２３とがハウジング３の長さ方向の同一位置に配置されていると、端子接続部１５の挿入過程で端子接続部１５に振れなどが発生した場合、端子接続部１５の長さ方向の端部が、縦壁１７の端面２１と横壁１９の端面２３とに同時に当接してしまう可能性があった。
【００７０】
端子接続部１５の端部が縦壁１７の端面２１と横壁１９の端面２３とに同時に当接してしまうと、端子接続部１５が幅方向や高さ方向に移動することができず、端子接続部１５が縦壁１７の端面２１と横壁１９の端面２３とに引っ掛かった状態となってしまい、端子接続部１５が端子収容室５側に移動できなくなってしまう。
【００７１】
このような状態から過剰に電線９を引っ張ってしまうと、電線接続部１３において、電線９との相対的位置ズレや分離、或いは電線９の芯線部に切れなどが生じてしまい、電線９と端子１１との接続信頼性が低下する可能性があった。
【００７２】
そこで、一対の縦壁１７，１７と一対の横壁１９，１９とは、端子収容室５の開口側のそれぞれの端面２１，２３の位置がハウジング３の長さ方向で異なって配置されている。
【００７３】
詳細には、縦壁１７の端面２１は、横壁１９の端面２３よりハウジング３の長さ方向の外方に向けて突出されて配置されている。
【００７４】
このように縦壁１７の端面２１と横壁１９の端面２３との位置をハウジング３の長さ方向で異ならせることにより、端子接続部１５の挿入過程で端子接続部１５に振れなどが発生した場合、端子接続部１５の長さ方向の端部が、一対の縦壁１７，１７の端面２１，２１のうちいずれか一方のみに当接される。
【００７５】
この縦壁１７の端面２１に端子接続部１５の端部が当接された状態では、端子接続部１５の端子収容室５への移動において、一対の縦壁１７，１７によって端子接続部１５の幅方向への移動と、端子接続部１５の回転とが規制されるが、一対の横壁１９，１９の端面２３，２３が配置されておらず、端子接続部１５の高さ方向への移動には自由度があり、端子接続部１５が高さ方向に移動することができる。
【００７６】
このため、電線９を引っ張って端子接続部１５を移動することにより、端子接続部１５が高さ方向のいずれか一方に移動して縦壁１７の端面２１との当接を解除することができ、端子接続部１５の引っ掛かりを防止でき、電線接続部１３に過剰な移動力が付与されることがない。
【００７７】
従って、電線接続部１３において、被覆圧着部４３と芯線圧着部４５とに電線９との相対的位置ズレや分離、或いは電線９の芯線部に切れなどが生じることがなく、電線９と端子１１との電気的な接続信頼性を保持することができる。
【００７８】
そして、電線９を引っ張って端子接続部１５の移動を継続することにより、一対の横壁１９，１９の端面２３，２３によって端子接続部１５の高さ方向への移動が規制され、一対の縦壁１７，１７と一対の横壁１９，１９とで端子接続部１５の挿入姿勢を保持することができる。
【００７９】
このような一対の縦壁１７，１７の端面２１，２１と一対の横壁１９，１９の端面２３，２３とには、先端側から端子収容室５の内部に向けて傾斜するテーパ２５，２７がそれぞれ設けられている。
【００８０】
このテーパ２５，２７を縦壁１７の端面２１と横壁１９の端面２３とに設けることにより、端子接続部１５をテーパ２５，２７に沿って端子収容室５に案内することができ、端子接続部１５の端子収容室５への挿入をスムーズに行うことができる。
【００８１】
このようなコネクタ１における端子１１の端子収容室５への収容は、まず、電線挿通孔７の開口から電線９を挿入し、電線挿通孔７と端子収容室５とに電線９を挿通させ、端子収容室５の開口から電線９の端末部をハウジング３の外部に露出させる。
【００８２】
次に、電線９の端末部の被覆部を所定の長さ剥がして芯線部を露出させ、端子１１の電線接続部１３を電線９の端末部に接続させる。
【００８３】
次に、電線９を電線挿通孔７から離脱する方向に引っ張り、端子接続部１５を端子収容室５側に向けて移動させ、端子接続部１５を端子収容室５に収容させ、係合部４１と係合面３９、補助係合部５３と補助係合突起５１を係合させる。
【００８４】
そして、フロントホルダ５５をハウジング３に組付け、端子１１の端子収容室５への収容を完了する。
【００８５】
このようなコネクタ１では、一対の縦壁１７，１７と一対の横壁１９，１９とが、端子収容室５の開口側のそれぞれの端面２１，２３の位置が異なって配置されているので、電線９を離脱方向に移動させ、端子接続部１５を端子収容室５に収容するときに、端子接続部１５に振れなどが発生した場合、端子接続部１５が縦壁１７と横壁１９とのうちいずれか一方の端面２１，２３に当接する。
【００８６】
この端子接続部１５が縦壁１７と横壁１９とのうちいずれか一方の端面２１，２３に当接した状態では、端子接続部１５が幅方向と高さ方向とのうちいずれか一方に移動することができ、電線９を離脱方向に移動させることにより、端子接続部１５と縦壁１７と横壁１９とのうち一方の端面２１，２３との当接を解除することができる。
【００８７】
このため、端子接続部１５を端子収容室５に収容するときに、端子接続部１５の端子収容室５の開口側における引っ掛かりを防止でき、電線９の過剰な移動による電線接続部１３における電線９との相対的位置ズレや分離、或いは電線の切れなどを防止することができる。
【００８８】
従って、このようなコネクタ１では、端子接続部１５を端子収容室５に収容するときに、電線接続部１３に電線９の過剰な移動力が付与されることがないので、電線９と端子１１との接続信頼性を保持することができる。
【００８９】
また、一対の縦壁１７，１７と一対の横壁１９，１９との端子収容室５の開口側のそれぞれの端面２１，２３には、端子収容室５の内部に向けて傾斜するテーパ２５，２７が設けられているので、テーパ２５，２７によって端子接続部１５を端子収容室５に安定して案内することができる。
【００９０】
なお、本実施の形態に係るコネクタでは、縦壁の端面が横壁の端面より突出して配置されているが、これに限らず、横壁の端面を縦壁の端面より突出して配置してもよい。
【００９１】
また、一対の縦壁のそれぞれの端面と、一対の横壁のそれぞれの端面とは、同一位置に配置されているが、これに限らず、一対の縦壁のそれぞれの端面を異なる位置に配置させ、一対の横壁のそれぞれの端面を異なる位置に配置させ、端子収容室の開口側の端面をそれぞれ異なる位置に配置させるようにしてもよい。
【符号の説明】
【００９２】
１…コネクタ
３…ハウジング
５…端子収容室
７…電線挿通孔
９…電線
１１…端子
１３…電線接続部
１５…端子接続部
１７…縦壁
１９…横壁
２１，２３…端面
２５，２７…テーパ
【図１】
2018174090.tif 000003
【図２】
2018174090.tif 000004
【図３】
2018174090.tif 000005
【図４】
2018174090.tif 000006
【図５】
2018174090.tif 000007
【図６】
2018174090.tif 000008
【図７】
2018174090.tif 000009
【図８】
2018174090.tif 000010
【図９】
2018174090.tif 000011
【図１０】
2018174090.tif 000012